(57)【要約】【課題】通口の両側の壁面のそれぞれに枠部材を設ける必要がなく、通口の片側の壁面にのみ取り付けるだけでよく、両方向の出入りが自由で安価なペット用ドアを得る。【解決手段】主フレーム３を固定した壁面またはドア面側とは反対側から進入するペット（例えば、猫または小犬）は通口４を経てが頭等で開口遮蔽プレート１１を押すと、開口遮蔽プレート１１が副フレーム９を押圧し、この副フレーム９とともに、開口遮蔽プレート１１が、主フレーム３を固定した壁面またはドア面から離れる方向に回動してペットが通過することができる。逆に、主フレーム３を固定した壁面またはドア面側から、通口４を通過しようとするときは、ペットが頭等で直接開口遮蔽プレート１１を押す。このとき、開口遮蔽プレート１１が通口４を経て主フレーム３を固定した壁面またはドア面側とは反対側に回動してペットが通過することができる。【選択図】図２
0003103773.tif 000002
【実用新案登録請求の範囲】
【請求項１】
壁またはドアの下端の近傍に設けた通口の周囲に設けるペット用ドアにおいて、
前記通口に対応する第１開口を有して壁またはドアの片面に固定する主フレームであって、この主フレームの第１側面を前記壁またはドアの片面に当接する主フレームと、
前記第１開口の横方向寸法より僅かに小さい横方向寸法を有する第１細条片と、
前記第１細条片を前記主フレームにヒンジ連結する第１ヒンジ手段と、
前記主フレームの第１側面とは反対側の第２側面側で前記第１細条片に重なり合う第２細条片であって、前記第１開口の横方向寸法より大きい横方向寸法を有して両側端部で前記主フレームに掛合する第２細条片と、
前記第１開口よりも小さい第２開口を有して前記主フレームよりも小さい副フレームであって、前記第２開口の上方の枠部分を第２細条片に固着し、前記第２開口の下方の枠部分が前記主フレームの下方の枠部分に重なり合う副フレームと、
前記第１細条片とほぼ同一の横方向寸法を有し、前記第２開口よりも大きくかつ前記第１開口よりも僅かに小さい寸法の開口遮蔽プレートと、
前記第２細条片および副フレームで構成した組立体に前記開口遮蔽プレートをヒンジ連結する第２ヒンジ手段と
を具えたことを特徴とするペット用ドア。
【請求項２】
前記主フレームと前記副フレームとの間で作用する第１磁気吸着手段、および前記副フレームと前記開口遮蔽プレートの周縁との間で作用する第２磁気吸着手段を設けた請求項１記載のペット用ドア。
【請求項３】
前記副フレーム側方を包囲するよう前記主フレームの第２側面に固着する周縁部材であって、前記副フレームの下方部分に重なり合う下方部分を有する第１Ｕ字状部材と、前記副フレームの下方部分に隣接並置する下方部分を有する前記第１Ｕ字状部材に固着した第２Ｕ字状部材とよりなる周縁部材を設けた請求項１または２記載のペット用ドア。
【考案の詳細な説明】
【技術分野】
【０００１】
本考案は、壁またはドアの下端の近傍に設けた通口の周囲に設けるペット用ドアに関するものである。
【背景技術】
【０００２】
このようなペット用ドアとしては、壁またはドアの下端の近傍に設けた通口の片側壁面に正逆両方向に回動自在にヒンジ連結するペット用ドアを設け、通口の両側の壁面のそれぞれに枠部材を壁面から離れる方向に回動自在にヒンジ連結するものがある。（例えば、特許文献１参照。）
【特許文献１】実開平１‐１２９４８９号公報
【０００３】
また、壁またはドアの下端の近傍に設けた通口内に、正逆両方向に回動自在のペット用ドア構造を設け、通口の両側の壁面のそれぞれに回動しない固定の枠部材を設けるものがある。（例えば、非特許文献１参照。）
【非特許文献１】"キャットドア"、[Online] 、株式会社サンセイ、[平成１６年１月９日検索]、インターネット＜URL＼http://www.cat-cat-cat.com/sansei/catdoor.html＞
【考案の開示】
【考案が解決しようとする課題】
【０００４】
このような従来のペット用ドアは、通口の両側の壁面のそれぞれに枠部材を設ける必要があり、取り付けが面倒であり、コストも高くなる。
【０００５】
従って、本考案の目的は、通口の両側の壁面のそれぞれに枠部材を設ける必要がなく、通口の片側の壁面にのみ取り付けるだけでよい、しかもペットが自由に両方向の出入りができる安価なペット用ドアを得るにある。
【課題を解決するための手段】
【０００６】
この目的を達成するため、本考案は、壁またはドアの下端の近傍に設けた通口の周囲に設けるペット用ドアにおいて、
前記通口に対応する第１開口を有して壁またはドアの片面に固定する主フレームであって、この主フレームの第１側面を前記壁またはドアの片面に当接する主フレームと、
前記第１開口の横方向寸法より僅かに小さい横方向寸法を有する第１細条片と、
前記第１細条片を前記主フレームにヒンジ連結する第１ヒンジ手段と、
前記主フレームの第１側面とは反対側の第２側面側で前記第１細条片に重なり合う第２細条片であって、前記第１開口の横方向寸法より大きい横方向寸法を有して両側端部で前記主フレームに掛合する第２細条片と、
前記第１開口よりも小さい第２開口を有して前記主フレームよりも小さい副フレームであって、前記第２開口の上方の枠部分を第２細条片に固着し、前記第２開口の下方の枠部分が前記主フレームの下方の枠部分に重なり合う副フレームと、
前記第１細条片とほぼ同一の横方向寸法を有し、前記第２開口よりも大きくかつ前記第１開口よりも僅かに小さい寸法の開口遮蔽プレートと、
前記第２細条片および副フレームで構成した組立体に前記開口遮蔽プレートをヒンジ連結する第２ヒンジ手段と
を具えたことを特徴とする。
【考案の効果】
【０００７】
本考案によれば、主フレームを壁またはドアの片面にのみ固定するだけでよいので、取り付けが極めて簡単に済む。
【０００８】
また、主フレームを固定した壁面またはドア面側とは反対側から、ペット（例えば、猫または小犬）が通口を通過しようとするときは、通口を経てペットが頭等で開口遮蔽プレートを押す。これにより、開口遮蔽プレートが副フレームを押圧し、この副フレームとともに、開口遮蔽プレートが、主フレームを固定した壁面またはドア面から離れる方向に回動してペットが通過することができる。
【０００９】
更に、主フレームを固定した壁面またはドア面側から、ペット例えば、ねこが通口を通過しようとするときは、ペットが頭等で直接開口遮蔽プレートを押す。これにより、開口遮蔽プレートが通口を経て主フレームを固定した壁面またはドア面側とは反対側に回動してペットが通過することができる。
【考案を実施するための最良の形態】
【００１０】
本考案の好適な実施例においては、前記主フレームと前記副フレームとの間で作用する第１磁気吸着手段、および前記副フレームと前記開口遮蔽プレートの周縁との間で作用する第２磁気吸着手段を設ける。この磁気吸着手段としては、例えば、適度の磁気吸着力を示す可撓性のマグネットテープまたはパッドとするとよい。
【００１１】
更に、本考案の好適な実施例においては、前記副フレーム側方を包囲するよう前記主フレームの第２側面に固着する周縁部材であって、前記副フレームの下方部分に重なり合う下方部分を有する第１Ｕ字状部材と、前記副フレームの下方部分に隣接並置する下方部分を有する前記第１Ｕ字状部材に固着した第２Ｕ字状部材とよりなる周縁部材を設ける。この周縁部材によれば、凹凸感がなくなり、見栄えがよくなる。
【実施例】
【００１２】
図１には、図２に全体を示す本考案の好適な実施例のペット用ドア１における構成部材を示す。本考案ペット用ドア１においては、図１の（ａ）に示すような、一方の第１側面３ａを壁またはドア２の片面に当接する主フレーム３を有する。
【００１３】
この主フレーム３には、壁またはドア２に設けた通口４（図２参照）に対応する第１開口５を設ける。また、第１開口５の横方向寸法より僅かに小さい横方向寸法を有する第１細条片６を第１ヒンジ手段７（図２参照）によって主フレーム３にヒンジ連結する。
【００１４】
また、本考案ペット用ドア１は、主フレーム３の第１側面３ａとは反対側の第２側面３ｂの側で、第１細条片６に重なり合う第２細条片８（図１(ｂ)参照）を有する。この第２細条片８は、第１開口５の横方向寸法より大きい横方向寸法を有して両側端部で主フレーム３に掛合することができる。
【００１５】
この第２細条片８には副フレーム９（図１(ｃ)参照）の上方の枠部分を固着する。この副フレーム９は、第１開口５よりも小さい第２開口１０を有し、また、主フレーム３よりも小さい。また、副フレーム９における第２開口の下方の枠部分が主フレーム３の下方の枠部分に重なり合う。
【００１６】
更に、本考案ペット用ドア１は、第１細条片６とほぼ同一の横方向寸法を有し、第２開口１０よりも大きくかつ第１開口５よりも僅かに小さい寸法の開口遮蔽プレート１１を有する。この開口遮蔽プレート１１は、第２細条片８および副フレーム９で構成した組立体に対して第２ヒンジ手段１２によりヒンジ連結する。
【００１７】
更に、図示の実施例における本考案ペット用ドア１は、副フレーム９側方を包囲するよう主フレーム３の第２側面３ｂに固着する周縁部材を有する。この周縁部材は、副フレーム９の下方部分に重なり合う下方部分を有する第１Ｕ字状部材１３と、副フレーム９の下方部分に隣接並置する下方部分を有して第１Ｕ字状部材１３に固着する第２Ｕ字状部材１４とにより構成する。
【００１８】
図示の実施例における本考案ペット用ドア１は、主フレーム３と副フレーム９との間で作用する第１磁気吸着手段、および副フレーム９と開口遮蔽プレート１１の周縁との間で作用する第２磁気吸着手段を設ける。これら磁気吸着手段１５は、適度の磁気吸着力を示す可撓性のマグネットのテープまたはパッド細条とすると好適である。
【００１９】
主フレーム３を固定した壁面またはドア面側とは反対側から、ペット（例えば、猫または小犬）が通口を通過しようとするときは、通口４を経てペットが頭等で開口遮蔽プレート１１を押す。これにより、開口遮蔽プレート１１が副フレーム９を押圧し、この副フレーム９とともに、開口遮蔽プレート１１が、主フレーム３を固定した壁面またはドア面から離れる方向に回動してペットが通過することができる。
【００２０】
主フレーム３を固定した壁面またはドア面側から、ペットが通口を通過しようとするときは、ペットが頭等で直接開口遮蔽プレート１１を押す。これにより、開口遮蔽プレート１１が通口４を経て主フレーム３を固定した壁面またはドア面側とは反対側に回動してペットが通過することができる。
【産業上の利用可能性】
【００２１】
本考案は、住宅関連産業におけるペットを飼う家庭向けの設備として利用することができる。
【図面の簡単な説明】
【００２２】
【図１】本考案ペット用ドアの好適な実施例における構成部材を示す説明図である。
【図２】（ａ）は図１に示す構成部材で組み立てたペット用ドア全体の側面図、（ｂ）は壁またはドアに形成した通口の周囲に取り付けた状態を示す側面中央断面図である。
【符号の説明】
【００２３】
１  ペット用ドア
２  壁またはドア
３  主フレーム
３ａ  第１側面
３ｂ  第２側面
４  通口
５  第１開口
６  第１細条片
７  第１ヒンジ手段
８  第２細条片
９  副フレーム
１０  第２開口
１１  開口遮蔽プレート
１２  第２ヒンジ手段
１３  第１Ｕ字状部材
１４  第２Ｕ字状部材
１５  磁気吸着手段（マグネットのテープまたはパッド細条）
【図１】
0003103773.tif 000003
【図２】
0003103773.tif 000004